(57)【要約】【課題】  熱源の近傍位置に設けた外装カバーの取手部が高温になることを防止できる電気機器を提供する。【解決手段】  本発明の画像形成装置（電気機器）１は、画像形成装置１の内側に設けられた熱源と、画像形成装置１に開閉自在に設けた外装カバー１５と、外装カバー１５の開閉操作を行なう取手部２１とを備え、外装カバー１５は熱源の近傍位置に設けられており、取手部２１は画像形成装置１の外部から空気を取り入れる吸気口２３を設けるようにした。【選択図】      図１
2005084155.tif 000002
【特許請求の範囲】
【請求項１】
電気機器の内側に設けられた熱源と、電気機器に開閉自在に設けた外装カバーと、外装カバーの開閉操作を行なう取手部とを備え、外装カバーは熱源の近傍位置に設けられており、取手部は電気機器の外部から空気を取り入れる吸気口を備えたことを特徴とする電気機器。
【請求項２】
熱源は、シート材に転写されたトナー像を定着させる定着装置又は像担持体に帯電処理を行なう帯電装置のうちの少なくとも一方を含むことを特徴とする請求項１記載の電気機器。
【請求項３】
電気機器内の空気を外部に排出する排気口と、吸気口と排気口との間に設けられ定着装置及び帯電装置を通過する空気の通風路とを備え、吸気口から流入した空気は通風路を通過して排気口から排出されることを特徴とする請求項２記載の電気機器。
【請求項４】
取手部は外装カバーの側端部に形成した溝であり、吸気口は溝の凹み位置に形成していることを特徴とする請求項１〜３の何れか一項に記載の電気機器。
【発明の詳細な説明】
【技術分野】
【０００１】
本発明は、取手部を備えた電気機器に関する。
【背景技術】
【０００２】
特許文献１には、画像形成装置（電気機器）において、給紙トレイの下方に配設されたスライドトレイに空気の取り入れを行う吸気口を設けた技術が開示されている。
【０００３】
【特許文献１】特開２００１−３５３９２８号公報
【発明の開示】
【発明が解決しようとする課題】
【０００４】
しかしながら、上述の特許文献１記載の従来技術では、吸気口が定着装置等の熱源から離れた位置にあるため、定着装置等から発生した熱をその周辺から逃がし難いという問題があった。そのため、例えば定着装置の近傍位置に外装カバーがある場合、外装カバーの開閉を行う取手部が高温になるという問題があった。
【０００５】
そこで本発明は、熱源の近傍位置に設けた外装カバーの取手部が高温になることを防止できる電気機器を提供することにある。
【課題を解決するための手段】
【０００６】
前記課題を解決するために、請求項１に記載された発明は、電気機器の内側に設けられた熱源と、電気機器に開閉自在に設けた外装カバーと、外装カバーの開閉操作を行う取手部とを備え、外装カバーは熱源の近傍位置に設けられており、取手部は電気機器の外部から空気を取り入れる吸気口を備えたことを特徴とする。
【０００７】
請求項２に記載された発明は、請求項１に記載された発明において、熱源は、シート材に転写されたトナー像を定着させる定着装置又は像担持体に帯電処理を行う帯電装置のうちの少なくとも一方を含むことを特徴とする。
【０００８】
請求項３に記載された発明は、請求項２に記載された発明において、電気機器内の空気を外部に排出する排気口と、吸気口と排気口との間に設けられ定着装置及び帯電装置を通過する空気の通風路とを備え、吸気口から流入した空気は通風路を通過して排気口から排出されることを特徴とする。
【０００９】
請求項４に記載された発明は、請求項１〜３の何れか一項に記載された発明において、
取手部は外装カバーの側端部に形成した溝であり、吸気口は溝の凹み位置に形成していることを特徴とする。
【発明の効果】
【００１０】
請求項１に記載の発明によれば、熱源の近傍位置に設けた外装カバーの取手部に外部の空気を取り入れるの吸気口を備えたので、吸気口から取り込まれる空気が取手部を通過して電気機器内に空気が入ってくるので、この通過する空気により取手部を冷却することができる。よって、熱源で発生した熱によって熱源の近傍位置に設けた外装カバーの取手部が高温になることを防止できる。
【００１１】
請求項２に記載された発明によれば、請求項１に記載された発明と同様の効果が得られるとともに、熱源として定着装置や帯電装置を有する画像形成装置においても、定着装置や帯電装置で発生した熱によって外装カバーの取手部が高温になることを防止できる。
【００１２】
請求項３に記載された発明によれば、請求項２に記載された発明と同様の効果が得られるとともに、取手部に設けた吸気口から取り入れた外部の空気が通風路を通過して排気口から排出されるので、定着装置や帯電装置で発生する熱を機外に放出することができ、電気機器の内部が高温になるのを防止できる。
【００１３】
請求項４に記載された発明によれば、請求項１〜３の何れか一項に記載された発明と同様の効果が得られるとともに、吸気口を外装カバーの側端部に形成した溝の凹み位置に設けたので、吸気口が外部から見えにくく外観が良い。
【発明を実施するための最良の形態】
【００１４】
以下、図面を参照しながら本発明の一実施形態について説明する。図１は本実施の形態に係る画像形成装置の正面図であり、図２は図１の画像形成装置の外装カバーを閉じた状態を示す斜視図、図３は図１の画像形成装置の外装カバーを開いた状態を示す斜視図、図４は図１に示す画像形成装置の横断面図である。
【００１５】
本実施の形態に係る電気機器の一形態である画像形成装置１は、画像形成装置１の上部に設けられた画像読取部３と、下部に設けられた画像形成部５等から構成されている。
【００１６】
画像読取部３には、原稿を載せる原稿台７が設けられており、原稿台７上に載せられた原稿に光を照射する図示しないハロゲンランプと、原稿からの光を反射する図示しないミラー等を備えている。
【００１７】
画像形成部５は、転写紙（シート材）を収納した給紙ユニット１１と、作像部１３とから構成されている。作像部１３は像担持体としての感光体と、感光体に帯電処理を行う帯電装置９と、転写紙に転写されたトナー像を定着させる定着装置１０等から構成されている。
【００１８】
作像部１３の前面側には、開閉自在な外装カバー１５を備えている。外装カバー１５は、画像形成装置１の右端部にある支持軸によって本体フレームに固定され、支持軸を中心として開閉するようになっている。
【００１９】
外装カバー１５の側端部１７には、側面視略長方形状の溝１９を形成しており、溝１９は外装カバー１５の開閉時に指を係止する取手部２１となっている。尚、取手部２１は外装カバー１５を閉じたときに、定着装置１０のすぐそばに位置するようになっている。
【００２０】
また、溝１９の凹み位置には吸気口２３を設けており、外部の空気を取り入れるようになっている。
【００２１】
吸気口２３はルーバであり、吸気口２３の開口部から装置内の作像部１３に向けて外の空気が流入するようになっている。そして、作像部１３内に取り入れた空気は、吸気口２３と排気口３１との間に設けられた通風路３５を通過することで、帯電装置９及び定着装置１０で発生する熱を冷却している。
【００２２】
作像部１３の奥側には排気装置２５が設けられており、排気装置２５は排気ファン２７と、排気ファン２７と排気口３１との間に設けた排気通路２９と、画像形成装置１の外壁に設けられた排気口３１とを備えている。また、定着装置１０と排気ファン２７との間、及び帯電装置１０と排気ファン２７との間には、それぞれ排気ダクト３３、３４が設けられている。
【００２３】
次に、本実施の形態に係る画像形成装置１の作用について説明する。外装カバー１５の側端部１７に設けられた吸気口２３の開口部から、装置内の作像部１３に向けて空気が流入する。そして作像部１３内に流入した空気は、帯電装置９及び定着装置１０を通過し、排気ダクト３３、３４から排気装置２５に送られる。排気装置２５では、熱交換により高温となった空気が排気ファン２７に導かれ、排気通路２９を通って排気口３１から画像形成装置１の外に排気される。
【００２４】
定着装置１０の近傍位置に設けた外装カバー１５の取手部２１に、外部の空気を取り入れる吸気口２３を備えたので、吸気口２３から取り込まれる空気が取手部２１を通過して作像部１３内に入ってくるので、この通過する空気により取手部２１を冷却することができる。よって、定着装置１０で発生した熱によって定着装置１０の近傍位置に設けた外装カバー１５の取手部２１が高温になることを防止できる。
【００２５】
取手部２１に設けた吸気口２３から取り入れた外部の空気が通風路３５を通過して排気口３１から排出されるので、定着装置１０や帯電装置９で発生する熱を機外に放出することができ、画像形成装置１の内部、特に作像部１３が高温になるのを防止できる。
【００２６】
吸気口２３を外装カバー１５の側端部１７に形成した溝の凹み位置に設けたので、吸気口２３が外部から見えにくく外観が良い。
【００２７】
なお、本発明は上述した実施の形態に限定されず、その要旨を逸脱しない範囲で種々の変形が可能である。上述の実施形態は電気機器の一例として画像形成装置を例にとり説明したが、パーソナルコンピュータのハードディスク、ＣＤ、ＤＶＤ等の光ディスク装置等であっても良い。
【００２８】
また、画像形成装置は上述したような複写機に限らず、プリンタ、ＦＡＸなどであっても良い。
【図面の簡単な説明】
【００２９】
【図１】本実施の形態に係る画像形成装置の正面図である。
【図２】図１の画像形成装置の外装カバーを閉じた状態を示す斜視図である。
【図３】図１の画像形成装置の外装カバーを開いた状態を示す斜視図である。
【図４】図１に示す画像形成装置の横断面図である。
【符号の説明】
【００３０】
１      画像形成装置（電気機器）
９      帯電装置
１０    定着装置
１５    外装カバー
１７    側端部
１９    溝
２１    取手部
２３    吸気口
【図１】
2005084155.tif 000003
【図２】
2005084155.tif 000004
【図３】
2005084155.tif 000005
【図４】
2005084155.tif 000006